(57)【特許請求の範囲】
【請求項１】
上面に取出口が形成された容器本体と、前記取出口を開閉自在に塞ぐ蓋体とを備えるウエットシート収容容器であって、
前記容器本体の上面に、前記取出口を囲むように凸堤部が形成され、
前記蓋体の内面に、内側環状起立壁と外側環状起立壁とが形成され、
前記蓋体を閉じた状態で、前記内側環状起立壁が前記凸堤部の内側稜線または内側傾斜面に接し、前記外側環状起立壁が前記凸堤部の外側稜線または外側傾斜面に接するように構成されている、ことを特徴とするウエットシート収容容器。
【請求項２】
上面に取出口が形成された容器本体と、前記取出口を開閉自在に塞ぐ蓋体とを備えるウエットシート収容容器であって、
前記容器本体の上面に、前記取出口を囲むように凸堤部が形成され、
前記蓋体の内面に、起立壁が形成され、この起立壁の先端には溝が形成されていて、この溝を隔てて内側縁片と外側縁片とが形成されており、
前記蓋体を閉じた状態で、前記内側縁片が前記凸堤部の内側稜線または内側傾斜面に接し、前記外側縁片が前記凸堤部の外側稜線または外側傾斜面に接するように構成されている、ことを特徴とするウエットシート収容容器。
【請求項３】
上面に取出口が形成された容器本体と、前記取出口を開閉自在に塞ぐ蓋体とを備えるウエットシート収容容器であって、
前記容器本体の上面に、前記取出口を囲むように内側凸堤部と外側凸堤部とそれぞれ形成され、
前記蓋体の内面に、内側環状起立壁と外側環状起立壁とが形成され、
前記蓋体を閉じた状態で、前記内側環状起立壁が内側凸底部に接するとともに、外側環状起立壁が前記外側凸堤部に接する、ことを特徴とするウエットシート収容容器。
【請求項４】
前記凸堤部が、前記取出口を囲むように設けられた環状気密部材に形成されている請求項１〜３の何れか１項に記載のウエットシート収容容器。
【請求項５】
容器本体の上面に凹部が形成され、この凹部にシート状の気密部材が嵌め込まれており、このシート状気密部材に、取出口が形成されているとともにその周囲を囲むように凸堤部も形成されている、請求項１〜３の何れか１項に記載のウエットシート収容容器。
【請求項６】
気密部材は、軟質材又は弾性体で構成されている、請求項４または５に記載のウエットシート収容容器。
【発明の詳細な説明】
【技術分野】
【０００１】
本発明は、ウエットティシュなど、薬液等の液体を含浸させたウエットシートを収容するウエットシート収容容器に関する。
【背景技術】
【０００２】
ウエットシートは、未使用時または不使用時に湿潤状態を維持するために、気密とされた容器内に、又は詰め替え用の包装袋内に収容された状態で前記容器内に、所定枚数分だけ折り畳まれた状態で収容されている。この種のウエットシートにおいては、上下段のウエットシートが互いに重ね部分を持ちながら積み重ねられており、最上部のウエットシートを容器から取り出すと、次のウエットシートが取り出し易いように、容器の取出口よりその一部が突出する、いわゆるポップアップ方式の重畳構造が採用されている。
ウエットシートを収容する収容容器は、一般的に、天面部に開口部が形成された容器本体と、この容器本体の天面部にヒンジ等により回動可能に結合されて上記開口部を覆う蓋体とを具備し、前記開口部の周囲と蓋体との間をシール手段によりシールすることにより、内部に収容したウエットシートに含浸された薬液の揮発が防止される構造を採る。
そのシール手段としては、従来、天面部に形成された取出口に密着する弾性材を蓋体内面に配してシール機能を付与したもの（特許文献１参照）や、蓋体内面に設けた二重リング（インナリングと小リング）間に環状弾性パッキンを介在させるとともに、容器天板の一部を構成する中蓋にシールリングを形成し、このシールリング先端が蓋体を閉じた状態で前記二重リング間に収まるとともに前記弾性パッキンに当接するようにしてシール機能を発揮するようにしたもの（特許文献２参照）が知られる。
【特許文献１】特開２０００−１４２８４２
【特許文献２】特開平１１−４９２０６
【発明の開示】
【発明が解決しようとする課題】
【０００３】
しかしながら、これら従来のシール手段は、度重なる開閉による蓋体の歪みやねじれ、度重なるウエットシートの取り出しに伴う天面部の歪みやねじれ、などによって簡単にシールリング頂点が弾性パッキンから離間してしまい、もってシール機能が不十分となることがあり、ウエットシートに含浸した薬液が揮発してしまうことがあった。
そこで、本発明の主たる課題は、確実なシール機能を発揮し長期に渡ってウエットシートを湿潤状態の保持するウエットシート収容容器を提供することにある。
【課題を解決するための手段】
【０００４】
上記課題を解決した本発明およびその作用効果は次記のとおりである。
＜請求項１記載の発明＞
上面に取出口が形成された容器本体と、前記取出口を開閉自在に塞ぐ蓋体とを備えるウエットシート収容容器であって、
前記容器本体の上面に、前記取出口を囲むように凸堤部が形成され、
前記蓋体の内面に、内側環状起立壁と外側環状起立壁とが形成され、
前記蓋体を閉じた状態で、前記内側環状起立壁が前記凸堤部の内側稜線または内側傾斜面に接し、前記外側環状起立壁が前記凸堤部の外側稜線または外側傾斜面に接するように構成されている、ことを特徴とするウエットシート収容容器。
【０００５】
（作用効果）
本発明では、内側環状起立壁と外側環状起立壁とがそれぞれ凸堤部に接するように構成されている。すなわち、本発明は蓋体を閉じた状態では取出口は少なくとも二つの壁に囲まれるように密封されて二重にシールされた状態となる。したがって、従来、ウエットシート収容容器と比較して、容器本体内に収められたウエットシートから薬液等が外部に蒸散することが防止され、もってウエットシートの品質低下が防止される。
【０００６】
＜請求項２記載の発明＞
上面に取出口が形成された容器本体と、前記取出口を開閉自在に塞ぐ蓋体とを備えるウエットシート収容容器であって、
前記容器本体の上面に、前記取出口を囲むように凸堤部が形成され、
前記蓋体の内面に、起立壁が形成され、この起立壁の先端には溝が形成されていて、この溝を隔てて内側縁片と外側縁片とが形成されており、
前記蓋体を閉じた状態で、前記内側縁片が前記凸堤部の内側稜線または内側傾斜面に接し、前記外側縁片が前記凸堤部の外側稜線または外側傾斜面に接するように構成されている、ことを特徴とするウエットシート収容容器。
【０００７】
（作用効果）
本発明では、内側縁辺と外側縁片とがそれぞれ凸堤部に接するように構成されている。すなわち、本発明は蓋体を閉じた状態では取出口は少なくとも二つの縁片に囲まれるように密封されて二重にシールされた状態となる。したがって、従来、ウエットシート収容容器と比較して、容器本体内に収められたウエットシートから薬液等が外部に蒸散することが防止され、もってウエットシートの品質低下が防止される。
【０００８】
＜請求項３記載の発明＞
上面に取出口が形成された容器本体と、前記取出口を開閉自在に塞ぐ蓋体とを備えるウエットシート収容容器であって、
前記容器本体の上面に、前記取出口を囲むように内側凸堤部と外側凸堤部とそれぞれ形成され、
前記蓋体の内面に、内側環状起立壁と外側環状起立壁とが形成され、
前記蓋体を閉じた状態で、前記内側環状起立壁が内側凸底部に接するとともに、外側環状起立壁が前記外側凸堤部に接する、ことを特徴とするウエットシート収容容器。
【０００９】
（作用効果）
本発明では、前記内側環状起立壁が内側凸底部に接するとともに、外側環状起立壁が前記外側凸堤部に接する。すなわち、本発明は蓋体を閉じた状態では取出口は少なくとも二つの起立壁およびそれぞれに接する凸堤部に囲まれるように密封されて二重にシールされた状態となる。したがって、従来、ウエットシート収容容器と比較して、容器本体内に収められたウエットシートから薬液等が外部に蒸散することが防止され、もってウエットシートの品質低下が防止される。
【００１０】
＜請求項４記載の発明＞
前記凸堤部が、前記取出口を囲むように設けられた環状気密部材に形成されている請求項１〜３の何れか１項に記載のウエットシート収容容器。
【００１１】
（作用効果）
蓋体の内面に気密部材を取付けると、蓋体の度重なる開閉に起因する蓋自体の変形によって気密性（密閉性）の確保が難しくなることがあるが、本発明では気密部材を容器本体の上面に設けたことにより、蓋体の内面に気密部材を取付ける場合に比べて、より長期かつ安定的にウエットシートの品質を保持することができる。
【００１２】
＜請求項５記載の発明＞
容器本体の上面に凹部が形成され、この凹部にシート状の気密部材が嵌め込まれており、このシート状気密部材に、取出口が形成されているとともにその周囲を囲むように凸堤部も形成されている、請求項１〜３の何れか１項に記載のウエットシート収容容器。
【００１３】
（作用効果）
請求項５記載の発明と同様の作用効果を奏するとともに、気密部材の配置が容易となりもって製造が容易となる。
【００１４】
＜請求項６記載の発明＞
気密部材は、軟質材又は弾性体で構成されている、請求項４または５に記載のウエットシート収容容器。
【００１５】
（作用効果）
気密部材を軟質材又は弾性体で構成することによって、気密部材が変形して起立壁に圧接させることができ、より気密性（密閉性）の確保がし易くなる。
【発明の効果】
【００１６】
以上のとおり、本発明は、蓋体に形成される起立壁と気密部に形成される凸堤部とが全周に渡って接している接触周縁が二以上あることを基本構造としている。そしてこの本発明によれば、確実なシール機能が発揮され、長期に渡ってウエットシートを湿潤状態の保持するウエットシート収容容器が提供される。
【発明を実施するための最良の形態】
【００１７】
以下、図面を参照しながら、本発明の実施の形態を説明する。
＜第１の実施の形態＞
図１は本形態に係るウエットシート収容容器Ｘ１の正面図であり、図２はウエットシート収容容器Ｘ１のII−II断面図であり、図３は蓋体３を開けた状態のウエットシート収容容器Ｘ１の正面図であり、図４は取出口１５近傍の拡大断面図である。
【００１８】
本形態に係るウエットシート収容容器Ｘ１は、図１〜４に示すように、底面が開口とされる容器本体２と、この容器本体２の底部に着脱自在に取り付けられる底蓋４と、容器本体２の上部に形成された取出口１５を開閉自在に塞ぐことが可能な蓋体３と、を備えている。容器本体２へのウエットシートＷの収納は、底蓋４を容器本体２から取外して、容器本体２の底部２Ｂから行なわれる。
【００１９】
容器本体２の上面には、蓋体３よりも若干大きい略矩形状で、かつ容器本体２上面より蓋体３の厚み分だけ一段低い段差が設けられた段差部２ａが形成されており、これによって取出口１５を蓋体３が塞ぐ際には、容器本体２の最上面部と蓋体３の上面とが略面一になるようになっている。
【００２０】
また、容器本体２の上面であって、かつ段差部２ａの略中央には、段差部２ａからさらに一段低い略楕円状の凹部６が形成されており、この凹部６の周底の略中央に十字スリット状の取出口１５が形成されている。凹部６の形成により蓋体３を閉じた状態で、蓋体３の内面側と後述の取出口１５との間に空間を形成し、この空間内に取出口１５から突出したウエットシートの一部が収まる。
【００２１】
一方、前記凹部６の底面には、前記取出口１５を囲むように溝部６ｍが形成されており、この溝部６ｍにシート状の環状気密部材５が嵌め込まれている。本形態では、図からも明らかなとおり、溝部６ｍは凹部６の底部周縁に形成されており、凹部６の形状と同様に略楕円形状に形成されている。ここでシート状の気密部材５の溝部６ｍ内への固定は、例えば、図示例の如く凹部溝部６ｍに係止突片１４を設けてこの係止突片１４を気密部材５に適宜形成した固定用穴部１６にはめ込むようにしてもよいし、凹部周側壁６ｓの途中に突出するよう係止突片（図示しない）を数箇所（例えば、楕円の短軸・長軸方向のそれぞれ２箇所ずつで計４箇所）形成して、この係止突片と凹部との間に気密部材を挟持させるように構成したり、凹部の底に接着剤でシート状気密部材を接着したりすれば、容易である。
【００２２】
なお、前記気密部材５は、シリコン樹脂等の軟質材、加硫ゴム、熱可塑性エラストマー、弾性繊維、弾性発泡体、合成ゴム、発泡ポリエチレン等の弾性体などが用いられる。
【００２３】
一方、前記気密部材５には、上方に向かって突出するように環状に断面山型形状の凸堤部１０が形成されている。すなわち、前記凸堤部１０は前記取出口１５を囲むように配されている。
【００２４】
他方、容器本体２の上面には、容器本体２の一側辺側を回動支点３０（ヒンジ部）として開閉自在とされた蓋体３が設けられており、この蓋体３は未使用時または不使用時に少なくとも取出口１５を塞ぐように構成されている。また、ヒンジ３０近傍には弾性復元力により上記蓋を全開可能とする弾性体（図示されない）が配設されており、上記容器本体２と上記蓋体３とに設けられた該蓋体の閉時に互いに係止して該蓋体３を閉蓋位置に保つ係止機構部２１Ａ，２１Ｂの解除により簡易に蓋体を開けることが可能とされている。
【００２５】
ここで、本形態Ｘ１では特徴的に前記蓋体３の内面の中央付近に、蓋体天面から下方（内面側）に向かって突出するように起立し、かつその先端縁が蓋を閉じた状態で前記気密部材５の凸堤部１０に全周にわたって接する、環状に形成された２本の起立壁１１Ａ、１１Ｂが並設して形成されている。すなわち、蓋体３内面中央付近には、内側環状起立壁１１Ａおよび外側環状起立壁１１Ｂの二重壁が形成されている。
【００２６】
これら起立壁（内側環状起立壁１１Ａおよび外側環状起立壁１１Ｂ）は、蓋体３を閉じた状態ではシート状気密部材５に形成された凸堤部１０の内側傾斜面１０ａおよび外側傾斜面１０ｂにそれぞれ接するように形成されている。ちょうど内側環状起立壁１１Ａと外側環状起立壁１１Ｂの両壁の先端縁間に前記凸堤部１０の先端が嵌まるように構成されている。
【００２７】
蓋体３を閉じた状態で蓋体３の二つの起立壁１１Ａ、１１Ｂと気密部材５とが、適度な圧力をもって当接することで、取出口１５が二重にシールされ、容器本体２内に収められたウエットシートＷから薬液が取出口１５を介して外部に蒸散されることが確実に防止され、もってウエットシートＷの品質低下が防止される。また、例えば、揮発性の高いアルコール成分を含浸させたウエットシート等を収容した場合に、当該アルコール成分の揮発に伴って容器内圧が上昇することがあるが、本形態のウエットシート収容容器は、係る内圧上昇に伴って内側起立壁と気密部材との間に間隙が生じたとしても内外壁間に空間によって容器内から外方に向かう圧力の緩和がなされ、少なくとも外側起立壁と気密部材とによる当接が外れずらく、もって係る内圧上昇があってもシール機能が完全に解除されるというおそれが、格段に少なくなる効果をも有すると考えられる。
【００２８】
なお、本形態の変形例Ｘ２として、例えば、図５に示すように、凸堤部１０が頂面を有する断面台形形状をなし、内側環状起立壁１１Ａがその内側稜線１０ｃに接し、外側環状起立壁１１Ｂが外側稜線１０ｄに接するように構成した例を挙げることができる。
【００２９】
また、図示の形態では、内外起立壁の高さ（長さ）が同じに形成されているが、これらは必ずしも同じ高さである必要はない。
【００３０】
＜第２の実施の形態＞
次いで、第２の実施の形態Ｘ３を説明する。第２の実施の形態Ｘ３は、蓋体３に形成される起立壁１１およびシート状の気密部材５の凸堤部１０の形状の相違による気密部の態様が相違するほかは、第１の実施の形態と同様である。共通事項については説明を省略する。
【００３１】
本形態Ｘ３は、図６に取出口近傍の構造が示されるように、シート状の気密部材５に形成された凸堤部１０は断面山型形状をなしている。
【００３２】
一方、蓋体３に形成された起立壁１１は一つであるが、先端が二股に分かれており内側縁片１１ａおよび外側縁片１１ｂを有する。
【００３３】
そして、前記蓋体３を閉じた状態では、前記内側縁片１１ａが前記断面山形の凸堤部１０の内側傾斜面１０ａに全周に渡って接し、外側縁片１１ｂが外側傾斜面１０ｂに全周に渡って接するように構成されている。
【００３４】
本形態では、内側縁片１１ａおよび外側縁片１１ｂの二周縁が凸堤部１０に接するようにして高い気密性を担保する。
【００３５】
なお、本形態の変形例Ｘ４として、例えば、図７に示すように、凸堤部１０が頂面を有する断面台形形状をなし、前記内側縁片１１ａが内側稜線１０ｃに接し、外側縁片１１ｂが外側稜線１０ｄに接するように構成した例を挙げることができる。
【００３６】
また、図示の形態では、内外縁片の高さ（長さ）が同じに形成されているが、これらは必ずしも同じ高さである必要はない。
【００３７】
＜第３の実施の形態＞
次いで、第３の実施の形態Ｘ５を説明する。第３の実施の形態Ｘ５は、気密部材５に二つの凸堤部１０Ａ，１０Ｂが形成されている形態である。その他の構成は第１の実施の形態と同様である。
【００３８】
本形態Ｘ５では、図８に示されるように、気密部材５に取出口１５を囲むようにして二つの凸堤部（内側凸堤部１０Ａおよび外側凸堤部１０Ｂ）が形成されている。そして、蓋体を閉じた状態で、内側凸堤部１０Ａが内側環状起立壁１１Ａに全周に渡って接し、外側凸堤部１０Ｂが外側環状起立壁１１Ｂに全周に渡って接するように構成されている。
【００３９】
内側部気密部、外側気密部が関連せず独立にシール機能を発揮するため、例えば、内側凸堤部１０Ａがずれて内側起立壁１１Ａとのシール機能が解除されたときにも、外側凸部１０Ｂと外側起立壁１１Ｂによるシール機能が担保され、もってより確実な密封機能を発揮させることができる。
【産業上の利用可能性】
【００４０】
本発明は、手拭用途、肌の清拭用途に用いるウエットティッシュや、各種対象物の清拭用途等に用いるウエットワイプなど、アルコール、保湿材、その他薬材など適宜の液体を含浸させたウエットシートを収容する収容容器に利用可能である。
【図面の簡単な説明】
【００４１】
【図１】第１の形態にかかるウエットシート収容容器の正面図である。
【図２】そのII−II断面図である。
【図３】第１の形態にかかるウエットシート収容容器の蓋を開けた状態の正面図である。
【図４】第１の形態の取出口近傍の拡大断面図である。
【図５】第１の形態の他の例にかかるウエットシート収容容器の取出口近傍の拡大断面図である。
【図６】第２の形態にかかるウエットシート収容容器の取出口近傍の拡大断面図である。
【図７】第２の形態の他の例にかかるウエットシート収容容器の取出口近傍の拡大断面図である。
【図８】第３の形態にかかるウエットシート収容容器の取出口近傍の拡大断面図である。
【符号の説明】
【００４２】
２…容器本体、２ａ…段差部、２Ｂ…容器底部開口、３…蓋体、４…底蓋、５…気密部材、６…楕円形凹部、６ｓ…凹部周側壁、６ｍ…容器本体凹溝、１０…凸堤部、１０ａ…凸堤部内側傾斜面、１０ｂ…凸堤部外側傾斜面、１０ｃ…凸堤部内側稜線、１０ｄ…凸堤部外側稜線、１０Ａ…内側凸堤部、１０Ｂ…外側凸堤部、１１…起立壁、１１ａ…内側縁片、１１ｂ…外側縁片、１１Ａ…内側起立壁、１１Ｂ…外側起立壁、Ｗ…ウエットシート、１４…係止突片、１５…取出口、１６…固定用穴部、２１Ａ，２１Ｂ…係止機構部、３０…ヒンジ、Ｘ１〜Ｘ５…ウエットシート収容容器。
【図１】
0004769574.tif 000002
【図２】
0004769574.tif 000003
【図３】
0004769574.tif 000004
【図４】
0004769574.tif 000005
【図５】
0004769574.tif 000006
【図６】
0004769574.tif 000007
【図７】
0004769574.tif 000008
【図８】
0004769574.tif 000009